(57)【要約】【課題】立ち姿勢での手作業において、身体重心位置がわずかに移動しただけで、身体に疲労の原因となる肉体的な負担がかかってしまうことをわかりやすく理解させることができる、体験システムを提供する。【解決手段】上面を、ヒト７が立ち姿勢で乗る乗り部４ａとする転動体４と、該転動体４の乗り部４ａに乗ったヒト７に手を伸ばさせ、そのヒト７の身体重心位置Ｇを側方に移動させて転動体４に転動動作を行わせる目標部分５ａを備えた目標物５とが備えられている。【選択図】      図１
2005242030.tif 000002
【特許請求の範囲】
【請求項１】
上面を、ヒトが立ち姿勢で乗る乗り部とする転動体と、
該転動体の乗り部に乗ったヒトに手を伸ばさせ、そのヒトの身体重心位置を側方に移動させて転動体に転動動作を行わせる目標部分を備えた目標物と
が備えられていることを特徴とする、立ち姿勢での手作業における身体の安定、不安定を体験するシステム。
【請求項２】
請求項１に記載の第１システムと、
該第１システムにおいて、目標物の側からヒトの身体を支え、転動体の転動動作を阻止する身体支え部が備えられている第２システムと
が備えられ、これらシステムによる体験を比較して行えるようになされていることを特徴とする、立ち姿勢での手作業における身体の安定、不安定を体験するシステム。
【発明の詳細な説明】
【技術分野】
【０００１】
本発明は、立ち姿勢での手作業における身体の安定、不安定を体験するシステムに関する。
【背景技術】
【０００２】
立ち姿勢で行う手作業、例えば、キッチンでの食器洗い作業は、両手をシンクの方に伸ばし、一方の手に持った食器を、もう一方の手に持ったスポンジで擦り洗いをするというように、両手を前方に伸ばして宙に浮かせた状態を維持しながら行われる。そのため、身体の重心位置がわずかではあるけれども前方に移動してしまい、それに対して、身体は、前方に倒れないようにつま先を床に押し付けてバランスをとろうとする。
【発明の開示】
【発明が解決しようとする課題】
【０００３】
ところが、身体重心位置の移動が、食器洗いのように、わずかであるような場合は、作業者は、身体の重心位置が移動したことさえ意識することができず、ましてや、身体が上記のようなバランス反応を行っていることなどつゆほども知らず、食器洗いは、なんとなく、からだにこたえる少しつらい作業であると感じ、それに耐えながら食器洗いを行っている場合が、実は非常に多い。
【０００４】
本発明は、上記のような問題点に鑑み、立ち姿勢での手作業において、身体重心位置がわずかに移動しただけで、身体に疲労の原因となる肉体的な負担がかかってしまうことをわかりやすく理解させることができる、体験システムを提供することを課題とする。
【課題を解決するための手段】
【０００５】
上記の課題は、上面を、ヒトが立ち姿勢で乗る乗り部とする転動体と、
該転動体の乗り部に乗ったヒトに手を伸ばさせ、そのヒトの身体重心位置を側方に移動させて転動体に転動動作を行わせる目標部分を備えた目標物と
が備えられていることを特徴とする、立ち姿勢での手作業における身体の安定、不安定を体験するシステム（第１発明）によって解決される。
【０００６】
この第１発明の体験システムでは、体験希望者が立ち姿勢で転動体の乗り部に乗り、手を目標物の目標部分に伸ばしていくと、転動体が転動し、身体のバランスが崩れて、足が転動体から離れてしまう。この体験をすることにより、そのヒトに、普通ではなかなか感じ取ることのできない身体重心位置のわずかな移動を、バランスを崩すことによって身をもって感じ取らせることができる。そして、それを通じて、日常の立ち姿勢での手作業において、身体の重心位置がわずかに移動しただけでは身体のバランスが崩れないのは、身体がバランスを取るように肉体的に反応していたからであり、作業は、バランスを取るための肉体的負担に耐えながら行われていたことを、体験者にわかりやすく理解させることができる。
【０００７】
また、上記の課題は、第１発明の第１システムと、
該第１システムにおいて、目標物の側からヒトの身体を支え、転動体の転動動作を阻止する身体支え部が備えられている第２システムと
が備えられ、これらシステムによる体験を比較して行えるようになされていることを特徴とする、立ち姿勢での手作業における身体の安定、不安定を体験するシステム（第２発明）によって解決される。
【０００８】
この第２発明のシステムでは、第１システムで体験を行った後に、第２システムでの体験を行うと、手を伸ばすことで身体重心位置がわずかに移動しても、バランスが保たれ、そのバランスは、身体の行うバランス反応によって保たれるのではなく、身体支え部が身体を支えていることによって保たれていることを体験者に身をもって感じ取らせることができる。そしてそれを通じて、身体支え部が、身体重心位置のわずかな移動による身体的負担の軽減に大きな役割を果たすものであることを、第１システムでの体験との比較において、体験者にわかりやすく理解させることができる。
【発明の効果】
【０００９】
第１発明の体験システムでは、立ち姿勢での手作業において、身体重心位置がわずかに移動しただけで、身体に疲労の原因となる肉体的な負担がかかってしまうのを、体験者にわかりやすく理解させることができる。また、第２発明のシステムでは、その肉体的負担を、身体支え部を備えさせることによって効果的に軽減できることを、体験者にわかりやすく理解させることができる。
【発明を実施するための最良の形態】
【００１０】
次に、本発明の実施最良形態を図面に基づいて説明する。
【００１１】
図１に示す第１実施形態の体験システム１は、キッチンでの食器洗いを想定した体験システムであり、４は転動体、５は目標物である。
【００１２】
転動体４は、図１（イ）に示すように、上面４ａを、ヒトが立ち姿勢で乗ることのできる平坦な乗り部とし、下面４ｂ側を、転動体４が転動動作を行えるように円柱側面状あるいは球面状に形成したもので、床面６に形成された底面平坦な凹所６ａ内に、上面乗り部４ａを床面６と面一になるように水平にして転動自在に設置されている。
【００１３】
目標物５は、転動体４の上面乗り部４ａに乗ったヒトが手を伸ばす目標となる目標部分５ａを備え、該目標部分５ａは、図１（ロ）に示すように、ヒト７が食器洗いをするときに伸ばす手の位置を想定して、床面６からの高さ位置、及び、転動体４との間隔を設定されており、転動体４と隣り合って脚部５ｂで床面６から支えられている。
【００１４】
上記の体験システム１では、体験希望者７に、目標部分５ａがキッチンでの食器洗いをする際の手の位置に位置していることを予め認識させたうえで、図１（ロ）に示すように、手を腰に付けるようにして、転動体４の上面乗り部４ａに立ち姿勢で乗ってもらう。その状態では、身体重心位置Ｇが転動体４の直上に位置していることで、体験希望者７は立ち姿勢を保つことができる。しかる後、そのヒト７に、手を目標部分５ａに向けて伸ばしてもらう。そうすると、そのヒト７は、図１（ハ）に示すように、身体重心位置Ｇがわずかに前方に移動し、モーメントが働いてバランスを崩し、一方の足が転動体４から離れて一歩前に踏み込んでしまう。
【００１５】
この体験を通じて、そのヒト７は、日常の立ち姿勢での食器洗いにおいて、身体の重心位置がわずかに移動しただけでは身体のバランスが崩れないのは、身体がバランスを取るように肉体的に反応していたからであり、食器洗いは、バランスを取るための肉体的負担に耐えながら行われていたことを、わかりやすく理解することができる。
【００１６】
図２に示す第２実施形態の体験システム３は、上記の第１実施形態のシステム１が第１システムとして備えられると共に、次のような第２体験システム２が備えられている。即ち、第２システム２は、図２及び図３（イ）に示すように、目標物が、カウンター高さのキッチン設備５ないしは模擬キッチン設備からなっており、目標部分は、食器洗いを行うシンク部分５ａによってリアルに構成されている。また、転動体４は、図３（ロ）に示すように、キッチン設備５のシンク部分５ａの手前に立ったときの足の位置を想定し、キッチン設備５の手前の床面６に、第１システム１と同様の態様で備えられている。そして、キッチン設備５には、ヒトの腰高さ付近において、キッチン設備５の手前側に張り出す身体支え部としてのバー８が備えられ、該バー８は、図３（ロ）に示すように、転動体４の上面乗り部４ａにヒト７が乗った状態で、ヒト７の下腹付近に近接状態となる位置に備えられている。
【００１７】
本実施形態のシステム３では、まず、体験希望者に、第１システム１で、第１実施形態と同様の体験をしてもらった後、第２システム２での体験をしてもらう。即ち、第２システム２では、図３（ロ）に示すように、まず、第１実施形態の場合と同様に、転動体４の上面乗り部４ａに乗ってもらう。その状態では、身体重心位置Ｇが転動体４の直上に位置することで、立ち姿勢を保つことができる。しかる後、そのヒト７に、図３（ハ）に示すように、食器洗いをするように、手を目標部分であるシンク部分５ａに伸ばしてもらう。そうすると、身体重心位置Ｇはわずかに前方に移動するけれども、身体のバランスは崩れることなく保たれ、そのバランスは、身体の行うバランス反応によって保たれるのではなく、バー８が身体の下腹部分を支えていることによって保たれていることを、からだで感じ取ることができる。それを通じて、そのヒト７は、バー８が、身体重心位置Ｇのわずかな移動による身体的負担の軽減に大きな役割を果たしていることを、第１システム１での体験と比較することで、わかりやすく理解することができる。
【００１８】
以上に、本発明の実施形態を示したが、本発明はこれらに限られるものではなく、発明思想を逸脱しない範囲で各種の変更が可能である。例えば、上記の実施形態では、立ち姿勢での手作業が、キッチンでの食器洗い作業である場合を示したが、手洗い作業や洗面作業、また、店舗、事務所等におけるその他の各種カウンター作業を行う場合の体験システムとして構成されてもよい。また、その場合の身体重心位置の側方への移動は、身体の前方への移動のほか、身体の左右方向への移動等であってもよい。
【００１９】
また、転動体４の下面側の形態に制限はなく、上面乗り部に乗って手を伸ばして身体重心位置がわずかに側方に移動することで、身体にバランスの崩れを生じさせるような形態であればよい。また、転動体４の上面乗り部４ａの形態についても、ヒトが立ち姿勢で乗ることができるような形態であればよい。
【００２０】
また、上記の第２実施形態の体験システム３では、第１，第２の二つのシステム１，２をそれぞれ備えさせた場合を示したが、第１システムと、該第１システムに組み込んで第２システムを形成する各種形態の身体支え部とで構成されていてもよい。
【図面の簡単な説明】
【００２１】
【図１】図（イ）は第１実施形態の体験システムを示す断面側面図、図（ロ）及び図（ハ）はそれを用いた体験方法を順次に示す断面側面図である。
【図２】第２実施形態の体験システムを示す断面側面図である。
【図３】図（イ）は第２実施形態の体験システムにおける第２システムを示す断面側面図、図（ロ）及び図（ハ）はそれを用いた体験方法を順次に示す断面側面図である。
【符号の説明】
【００２２】
１…体験システム
４…転動体
４ａ…上面乗り部
５…目標物
５ａ…目標部分
７…ヒト
８…身体支え部
Ｇ…身体重心位置
【図１】
2005242030.tif 000003
【図２】
2005242030.tif 000004
【図３】
2005242030.tif 000005